(57)【要約】【課題】  ＵＨＦアンテナを衛星受信アンテナを利用して構成することで、ＵＨＦアンテナの小型化を図り、地上波デジタル放送の普及を促進する。【解決手段】  パラボラアンテナのアーム部７に、ループアンテナからなるＵＨＦアンテナ１０を設けることによって、パラボラアンテナの反射鏡３をＵＨＦアンテナ１０の反射器として利用する。また、ＵＨＦアンテナ１０をアーム部７に固定する固定部１６は、反射鏡３に対するアンテナ素子１２傾斜角度を水平及び垂直方向に調整可能に構成することで、ＵＨＦアンテナ１０の指向特性を調整できるようにし、しかも、ＵＨＦアンテナ１０の給電部１４には、パラボラアンテナの一次放射器（詳しくはコンバータ）９からの衛星受信信号とＵＨＦ受信信号とを混合する混合器を設けて、これら各受信信号を一本の同軸ケーブルで伝送できるようにする。【選択図】  図１
2006101117.tif 000002
【特許請求の範囲】
【請求項１】
反射鏡と該反射鏡から延出されたアーム部を介して該反射鏡の焦点位置に配置された受信部とを有する衛星受信アンテナのアーム部に固定して使用されるＵＨＦアンテナであって、
ループ状に形成されたアンテナ素子と給電部とからなる放射器と、
前記アンテナ素子のループが前記衛星受信アンテナの反射鏡と対向するように、前記放射器の給電部を前記衛星受信アンテナのアーム部に固定する固定部と、
を備え、
前記放射器の給電部には、
前記衛星受信アンテナの受信部からの衛星受信信号を入力するための入力端子と、
該入力端子から入力された衛星受信信号と前記アンテナ素子を介して得られるＵＨＦ受信信号を混合する混合回路と、
該混合回路にて混合された衛星受信信号とＵＨＦ受信信号との混合信号を外部の受信端末側に出力するための出力端子とを設けたことを特徴とするＵＨＦアンテナ。
【請求項２】
前記放射器の給電部には、
前記衛星受信アンテナの受信部への給電のために外部の受信端末側より伝送されてきた電源信号を、前記出力端子から前記入力端子へと通過させる電源通過回路、
を設けたことを特徴とする請求項１に記載のＵＨＦアンテナ。
【請求項３】
前記放射器の給電部には、
前記ＵＨＦ受信信号を増幅する増幅回路と、
前記衛星受信アンテナの受信部への給電のために外部の受信端末側より伝送されてきた電源信号を利用して前記増幅回路に電源供給を行う電源回路と、
を設けたことを特徴とする請求項１又は請求項２に記載のＵＨＦアンテナ。
【請求項４】
前記固定部は、前記衛星受信アンテナの反射鏡の鏡面に対する前記アンテナ素子のループ中心軸の傾斜角度を、前記給電部を中心として略水平方向に調整可能であることを特徴とする請求項１〜請求項３の何れかに記載のＵＨＦアンテナ。
【請求項５】
反射鏡と、該反射鏡から延出されたアーム部を介して該反射鏡の焦点位置に配置された受信部と、を備え、衛星放送を受信可能な衛星受信アンテナであって、
前記アーム部に、請求項１〜請求項４の何れかに記載のＵＨＦアンテナが装着されたことを特徴とする衛星受信アンテナ。
【発明の詳細な説明】
【技術分野】
【０００１】
本発明は、地上波デジタル放送を受信するのに好適なＵＨＦアンテナ、及び、このＵＨＦアンテナが取り付けられた衛星受信アンテナに関する。
【背景技術】
【０００２】
従来より、テレビ放送局からＶＨＦ帯若しくはＵＨＦ帯の電波（地上波）を利用して送信された地上波放送信号を受信する受信アンテナとしては、通常、放射器と導波器と反射器とからなる多素子のアンテナ（ＶＨＦアンテナ、ＵＨＦアンテナ）が使用されている。
【０００３】
また、放送衛星（ＢＳ）若しくは通信衛星（ＣＳ）を中継局として配信される衛星放送信号を受信する衛星受信アンテナとしては、反射鏡と、反射鏡から延出されたアーム部を介して反射鏡の焦点位置に配置された一次放射器とからなるパラボラアンテナが使用されている。
【０００４】
そして、これら各アンテナにて地上波放送信号と衛星放送信号とを各々受信し、各受信信号を一本の同軸ケーブルを介して端末側まで伝送する際には、各受信信号を混合器にて混合することになるが、この混合器としての機能を、衛星受信アンテナの一次放射器（詳しくは一次放射器による受信信号をダウンコンバートするダウンコンバータ内）に組み込むことによって、ケーブル配線を簡素化する、といったことも提案されている（例えば、特許文献１等、参照）。
【特許文献１】特開平９−３２１５４４号公報
【発明の開示】
【発明が解決しようとする課題】
【０００５】
ところで、地上波を利用したテレビ放送では、従来のアナログ放送とは別に、ＵＨＦ帯の電波を利用したデジタル放送が実用化され、現在では、地上波デジタル放送のサービスエリアが、大都市圏から地方へと拡大しつつある。
【０００６】
そして、この地上波デジタル放送の受信には、従来のＵＨＦアンテナ（上述した多素子のアンテナ）を利用できることから、各家庭や施設において、今までＵＨＦ帯のアナログ放送をＵＨＦアンテナを介して受信しており、そのＵＨＦアンテナにて地上波デジタル放送を受信できるような場合は、既存のＵＨＦアンテナをそのまま利用することができる。
【０００７】
しかし、各家庭や施設において、電波の到来方向が異なるために既存のＵＨＦアンテナにて地上波デジタル放送を受信できない場合や、ＵＨＦアンテナが設置されていない場合に、地上波デジタル放送を受信できるようにするには、ＵＨＦアンテナを新たに設置しなければならない。
【０００８】
ところが、従来のＵＨＦアンテナは、通常、ダイポールからなる放射器に加えて、放射器の前方に間隔を空けて配置される１０本程度若しくはそれ以上の管状素子からなる導波器と、放射器の後方に導波器の配列方向とは略直交する方向に間隔を空けて配置される複数本の管状素子からなる反射器とから構成されており、その設置時には、電波の到来方向に向けて導波器、放射器、及び反射器が順に並ぶように、各素子を配置する必要があることから、地上波デジタル放送を受信するために従来のＵＨＦアンテナを新たに設置するには、広い設置場所が必要であり、例えば、アパートやマンション等の集合住宅において、各家庭で地上波デジタル放送を受信するために、ベランダ等に従来のＵＨＦアンテナを設置する、といったことは困難であった。
【０００９】
本発明は、こうした問題に鑑みなされたものであり、地上波デジタル放送等を受信可能なＵＨＦアンテナを、ベランダ等に容易に取り付け可能な衛星受信アンテナを利用して構成することで、ＵＨＦアンテナの小型化を図り、延いては、地上波デジタル放送の普及を促進することを目的とする。
【課題を解決するための手段】
【００１０】
かかる目的を達成するためになされた請求項１に記載の発明は、反射鏡と該反射鏡から延出されたアーム部を介して該反射鏡の焦点位置に配置された受信部とを有する衛星受信アンテナのアーム部に固定して使用されるＵＨＦアンテナであって、ループ状に形成されたアンテナ素子と給電部とからなる放射器と、前記アンテナ素子のループが前記衛星受信アンテナの反射鏡と対向するように、前記放射器の給電部を前記衛星受信アンテナのアーム部に固定する固定部とを備え、前記放射器の給電部には、前記衛星受信アンテナの受信部からの衛星受信信号を入力するための入力端子と、該入力端子から入力された衛星受信信号と前記アンテナ素子を介して得られるＵＨＦ受信信号を混合する混合回路と、該混合回路にて混合された衛星受信信号とＵＨＦ受信信号との混合信号を外部の受信端末側に出力するための出力端子とを設けたことを特徴とする。
【００１１】
このように構成された本発明のＵＨＦアンテナによれば、固定部を介して、給電部を衛星受信アンテナのアーム部に固定すれば、アンテナ素子は、そのループが衛星受信アンテナの反射鏡と対向するように、衛星受信アンテナの反射鏡と受信部との間に配置されることになる。
【００１２】
そして、この状態では、衛星受信アンテナの反射鏡は、当該ＵＨＦアンテナ（放射器）に対する反射器として機能することになり、アンテナ素子には、反射鏡の鏡面前方に位置するＵＨＦ放送局からの送信電波と、その送信電波が反射鏡に当たって反射してくる反射波とが入射され、給電部では、これらを合成したＵＨＦ受信信号が得られることになる。
【００１３】
従って、本発明のＵＨＦアンテナによれば、アンテナ素子と給電部とからなる放射器であるにもかかわらず、ベランダ等に設置された衛星受信アンテナのアーム部に取り付けることで、テレビ放送信号を受信可能なＵＨＦアンテナとして利用することができるようになり、延いては、地上波デジタル放送の普及を促進することができる。
【００１４】
また、本発明のＵＨＦアンテナにおいて、給電部には、アンテナ素子を介して受信したＵＨＦ受信信号と衛星受信アンテナの受信部からの衛星受信信号とを混合して出力するために、混合回路や入・出力端子が設けられていることから、衛星受信アンテナにて得られた衛星受信信号と当該ＵＨＦアンテナにて得られたＵＨＦ受信信号とを混合するための混合器を別途設けることなく、これら各信号を一本の伝送線を介してテレビチューナ等の受信端末へと伝送することができるようになる。
【００１５】
次に、請求項２に記載の発明は、請求項１に記載のＵＨＦアンテナにおいて、前記放射器の給電部に、前記衛星受信アンテナの受信部への給電のために外部の受信端末側より伝送されてきた電源信号を前記出力端子から前記入力端子へと通過させる電源通過回路、を設けたことを特徴とする。
【００１６】
つまり、衛星受信アンテナの受信部には、通常、衛星放送電波を受信することにより得られる十数ＧＨｚ帯の受信信号を、１〜２ＧＨｚの伝送用の受信信号にダウンコンバートするダウンコンバータが設けられており、衛星放送受信用の受信端末からは、このダウンコンバータを動作させるための電源信号（直流電圧）が伝送されてくることがあることから、請求項２に記載のＵＨＦアンテナでは、放射器の給電部に電源通過回路を設けることによって、受信端末側から伝送されてきた電源信号を衛星受信アンテナの受信部に供給できるようにしているのである。
【００１７】
従って、この請求項２に記載のＵＨＦアンテナによれば、衛星受信アンテからの衛星受信信号を給電部に入力し、給電部内でその衛星受信信号とＵＨＦ受信信号とを混合して受信端末側に出力するようにすれば、受信端末側から衛星受信アンテナへの給電経路をも給電部内で形成することができるようになり、衛星受信アンテナへの給電経路を別途設ける必要がないので、より汎用性の高いＵＨＦアンテナを実現できることになる。
【００１８】
また次に、請求項３に記載の発明は、請求項１又は請求項２に記載のＵＨＦアンテナにおいて、前記放射器の給電部には、前記ＵＨＦ受信信号を増幅する増幅回路と、前記衛星受信アンテナの受信部への給電のために外部の受信端末側より伝送されてきた電源信号を利用して前記増幅回路に電源供給を行う電源回路とを設けたことを特徴とする。
【００１９】
従って、この請求項３に記載のＵＨＦアンテナによれば、受信端末側より伝送されてきた電源信号を利用してＵＨＦ受信信号を増幅することができるようになり、ＵＨＦ放送電波が届き難く、その信号レベル（電界強度）が低い地域でも、利用することができるようになる。このため、この請求項３に記載の発明によれば、本発明のＵＨＦアンテナの利用可能範囲を拡大することが可能となる。
【００２０】
また、請求項４に記載の発明は、請求項１〜請求項３の何れかに記載のＵＨＦアンテナにおいて、前記固定部は、前記衛星受信アンテナの反射鏡の鏡面に対する前記アンテナ素子のループ中心軸の傾斜角度を、前記給電部を中心として略水平方向に調整可能であることを特徴とする。
【００２１】
すなわち、本発明のＵＨＦアンテナにおいては、衛星受信アンテナの反射鏡からの反射波を受信することから、その水平方向の指向特性は、反射鏡の水平方向の開口角度によって決定される。
【００２２】
しかし、請求項４に記載のＵＨＦアンテナのように、反射鏡の鏡面に対するアンテナ素子のループ中心軸の傾斜角度を、給電部を中心として略水平方向に調整できるようにすれば、ＵＨＦアンテナの指向特性を水平方向に変化させることができるようになり、ＵＨＦアンテナによるＵＨＦ放送信号の受信可能範囲を拡大することが可能となる。
【００２３】
つまり、衛星受信アンテナは、赤道上空に打ち上げられている静止衛星からの電波を受信するために、反射鏡の鏡面は略南向きに固定されてしまうが、上記のように反射鏡の鏡面に対するアンテナ素子の傾斜角度を略水平方向に調整できるようにすれば、ＵＨＦアンテナの指向特性の中心を、反射鏡の焦点方向を中心として左右に変化させて、ＵＨＦアンテナによる受信可能範囲を拡大することができるようになるのである。
【００２４】
一方、請求項５に記載の発明は、反射鏡と、該反射鏡から延出されたアーム部を介して該反射鏡の焦点位置に配置された受信部とを備え、衛星放送を受信可能な衛星受信アンテナであって、前記アーム部に、請求項１〜請求項４の何れかに記載のＵＨＦアンテナが装着されたことを特徴とする。
【００２５】
従って、この衛星受信アンテナによれば、従来より販売若しくは設置されている衛星受信アンテナと本発明（請求項１〜請求項４）のＵＨＦアンテナとを利用して、ＵＨＦ／衛星放送共用受信アンテナを簡単に構成できる。
【発明を実施するための最良の形態】
【００２６】
以下に本発明の実施形態を図面と共に説明する。
図１は本発明が適用された実施形態のＵＨＦ／衛星放送共用受信アンテナ（以下単に受信アンテナともいう）１の全体構成を表す説明図である。
【００２７】
本実施形態の受信アンテナ１は、放送衛星（ＢＳ）及び通信衛星（ＣＳ）の一方、若しくはその両方から配信される衛星放送信号と、ＵＨＦ帯のテレビ放送電波を利用して地上局から配信される地上波デジタル放送等のＵＨＦ放送信号とを受信し、その受信信号を一本の伝送線（同軸ケーブル）を利用して、テレビチューナ等の受信端末（図示せず）まで伝送できるようにしたものであり、衛星放送受信用の衛星受信アンテナ（本実施形態ではオフセット型のパラボラアンテナ）にＵＨＦアンテナ１０を一体化することによって構成されている。
【００２８】
図１に示す如く、この受信アンテナ１を構成している衛星受信アンテナ（つまり、オフセット型パラボラアンテナ）は、反射鏡３と、この反射鏡３の裏面に設けられて反射鏡３を支柱４等に固定するための取付部５と、この取付部５から反射鏡３の前面（つまり、反射面）の焦点付近まで延出されたアーム部７と、アーム部７の先端に固定されることにより、アーム部７を介して反射鏡３の焦点位置に配置され、反射鏡３により集波された衛星放送信号の電波を受信する一次放射器９とから構成されている。
【００２９】
なお、一次放射器９には、受信信号（十数ＧＨｚ）を数ＧＨｚの中間周波信号にダウンコンバートするコンバータが組み込まれており、一次放射器９からは、そのダウンコンバート後の中間周波信号が衛星放送信号として出力される。
【００３０】
一方、ＵＨＦアンテナ１０は、図２に示すように、略円形のループ状に形成されたアンテナ素子１２と、このアンテナ素子１２の両端に接続された給電部１４とからなる放射器にて構成されている。そして、このＵＨＦアンテナ１０の給電部１４は、図１に示すように、アンテナ素子１２が反射鏡３と一次放射器９との間に位置し、しかも、アンテナ素子１２のループ（詳しくはループの開口面）が反射鏡３と対向するように、固定部１６を介して、アーム部７に固定されている。
【００３１】
また、アーム部７における給電部１４の固定位置は、図１に二点鎖線で示す如く、反射鏡３にて反射された衛星放送信号の電波が、アンテナ素子１２のループの内側を通って一次放射器９に入射するよう（換言すれば、衛星放送信号の電波がアンテナ素子１２にて遮断されることのないよう）、一次放射器９が取り付けられたアーム部７の先端部近傍に設定されている。
【００３２】
次に、固定部１６は、図２及び図３に示す如く、ＵＨＦアンテナ１０の給電部１４を載置するための載置台２６と、この載置台２６を支持する支持部２４を有し、この支持部２４に載置台２６を支持した状態でアーム部７に直接固定される固定部本体２２とから構成されている。
【００３３】
なお、図２は、反射鏡３の反射面に向かって受信アンテナ１を見たときのＵＨＦアンテナ１０及び固定部１６の状態を表す正面図であり、図３は、ＵＨＦアンテナ１０の給電部１４及び固定部１６を斜め上方から見た状態を表す斜視図である。
【００３４】
ここで、固定部本体２２は、アーム部７を挿通できるように矩形の環状に形成されている。そして、その矩形の環を形成している４辺のうち、固定部本体２２をアーム部７に固定した際に側壁となる環の一辺には、アーム部７を環の外側から内側に導入するための開口２２ａが形成されており、この開口２２ａが形成された環の側壁２２ｂと、固定部本体２２をアーム部７に固定した際に環の下壁２２ｃとなる底辺には、ボルトからなる固定ねじ３４，３２を螺入するためのねじ孔が穿設されている。
【００３５】
このため、固定部本体２２をアーム部７に固定する際には、このねじ孔に固定ねじ３４，３２を環の外側から螺入し、環の内側に配置されたアーム部７を固定ねじ３４．３２の先端で押圧することで、固定部本体２２をアーム部７にしっかりと固定できるようになる。
【００３６】
また、固定部本体２２をアーム部７に固定した際に上壁２２ｄとなる環の外周面には、支持部２４が形成されている。この支持部２４は、固定部本体２２をアーム部７に固定した際、アーム部７の中心軸に沿った垂直面と略平行となるように、固定部本体２２の上壁から上方に向けて突出された一対の側壁２４ａ，２４ｂを有する。
【００３７】
一方、載置台２６において、給電部１４の載置面とは反対側の面（つまり下面）には、板状の突出部２６ａが突設されている。そして、この突出部２６ａは、支持部２４を構成している側壁２４ａ，２４ｂの間に嵌合される。
【００３８】
つまり、支持部２４は、一対の側壁２４ａ，２４ｂの間に、載置台２６の下面に突設された板状の突出部２６ａが嵌合されることによって、載置台２６を、アーム部７の軸方向に沿って変位可能に支持するように構成されている。
【００３９】
また、支持部２４の側壁２４ａ，２４ｂ、及び、この側壁２４ａ，２４ｂの間に嵌合される載置台２６の突出部２６ａには、これら各部を略水平方向に貫通するためのねじ孔が穿設されており、このねじ孔には、これら各部を貫通するように支持部２４の一方の側壁（図では側壁２４ａ）側からボルト３６ａが挿入され、しかも、他方の側壁（図では側壁２４ｂ）側から突出されたボルト３６ａの開放端にはナット３６ｂが螺合されている。
【００４０】
従って、載置台２６は、支持部２４に対して、ボルト３６ａを中心として上下に揺動可能に支持され、しかも、ナット３６ｂを締め付けることで、所望の揺動位置に固定できる。つまり、ボルト３６ａとナット３６ｂは、載置台２６に載置された給電部１４のアーム部７に対する傾斜角度、延いては、反射鏡３の反射面に対するＵＨＦアンテナ１０の垂直方向の傾斜角度を手動で調整するための方向調整ねじ３６を構成しており、本実施形態では、この方向調整ねじ３６を利用して、ＵＨＦアンテナ１０の垂直方向の指向特性を調整できることになる。
【００４１】
また次に、ＵＨＦアンテナ１０の給電部１４は、円盤状に形成されており、アンテナ素子１２の両端は、その円盤の左右一対の側壁から給電部１４内に挿入されている。そして、この給電部１４の円の略中心位置には、給電部１４を上下に貫通する貫通孔が形成されており、給電部１４は、載置台２６に載置した後、その上方から貫通孔に方向調整ねじ３８を挿入し、この方向調整ねじ３８の先端を載置台２６に穿設されたねじ孔に螺合し、締め付けることによって、載置台２６上に固定される。
【００４２】
従って、給電部１４を載置台２６に固定する際、方向調整ねじ３８を締め付けるまでは、給電部１４は、方向調整ねじ３８を中心に回動可能であり、本実施形態では、その回動位置を調整することによって、反射鏡３の反射面に対するＵＨＦアンテナ１０の水平方向の傾斜角度（延いては、ＵＨＦアンテナ１０の水平方向の指向特性）を任意に設定できることになる。
【００４３】
また、給電部１４は、図４（ａ）に示すように、合成樹脂からなる防水ケース１４ａに、一次放射器９からの衛星受信信号を入力するための入力端子Ｔｉと、受信信号を出力するための出力端子Ｔｏとを組み付け、更に、その防水ケース１４ａ内に、アンテナ素子１２からＵＨＦ受信信号を取り込みそのＵＨＦ受信信号と一次放射器９からの衛星受信信号とを混合して出力端子Ｔｏから出力するための電子回路基板１４ｂ、を収納したものである。
【００４４】
なお、入力端子Ｔｉ及び出力端子Ｔｏは、伝送線として同軸ケーブルを接続できるようにフィッティング型（所謂Ｆ型）の接栓から構成されており、防水ケース１４ａに対しては、給電部１４をアーム部７に固定した際に給電部１４の下面から下方に突出するように固定されている（図１、図２参照）。
【００４５】
そして、電子回路基板１４ｂには、図４（ａ）、（ｂ）に示すように、防水ケース１４ａ内に固定されたアンテナ素子１２の両端にそれぞれ電気的に接続される電極Ｔａ及びＴｂと、これら各電極Ｔａ，Ｔｂにそれぞれ接続され、平衡式アンテナであるアンテナ素子（ループアンテナ）１２を不平衡な同軸ケーブルで給電できるように平衡−不平衡変換を行うためのバラン４２と、バラン４２を介してアンテナ素子１２から得られるＵＨＦ受信信号を選択的に通過させて出力端子Ｔｏに導くためのローパスフィルタ（ＬＰＦ）４４と、入力端子Ｔｉに入力された衛星受信信号を選択的に通過させて出力端子Ｔｏに導くためのハイパスフィルタ（ＨＰＦ）４６と、が組み付けられている。なお、ＬＰＦ４４のカットオフ周波数は、例えば７７０ＭＨｚに設定され、ＨＰＦ４６のカットオフ周波数は、例えば１ＧＨｚに設定されている。
【００４６】
また、電子回路基板１４ｂには、同軸ケーブル等の伝送線を介して出力端子Ｔｏに接続される受信端末側から伝送されてきた電源電圧を一次放射器９（詳しくは内部のコンバータ）に供給できるようにするために、ＨＰＦ４６に対して並列に接続されたチョークコイルＬが設けられ、更に、この電源電圧がＬＰＦ４４を通ってバラン４２側に印加されるのを防止するために、ＬＰＦ４４と出力端子Ｔｏとの間に直列に接続された直流カット用のコンデンサＣが設けられている。
【００４７】
従って、本実施形態のＵＨＦアンテナ１０によれば、アンテナ素子１２を介して取得したＵＨＦ受信信号と、一次放射器９を介して得られる衛星受信信号とを、給電部１４内で混合して受信端末側に出力することができると共に、受信端末側から伝送されてきた電源電圧を一次放射器９側に出力して、一次放射器９内のコンバータを動作させることができる。
【００４８】
以上説明したように、本実施形態の受信アンテナ１は、オフセット型パラボラアンテナのアーム部７に、所謂ループアンテナからなるＵＨＦアンテナ１０を設けることによって、パラボラアンテナの反射鏡３をＵＨＦアンテナ１０の反射器として利用するようにされている。
【００４９】
このため、地上波デジタル放送等、ＵＨＦ放送を受信するために、放射器と導波器と反射器とから成る一般的なＵＨＦアンテナを用いる場合に比べて、ＵＨＦアンテナ自体を小型化することができるようになり、使用者の使い勝手を向上することができる。
【００５０】
また、ＵＨＦアンテナ１０は、アンテナ素子１２のループの内側を衛星放送信号の電波が通るように、固定部１６を介してアーム部７に固定されることから、ＵＨＦアンテナ１０によって衛星放送信号の電波が遮断されるようなことはなく、一次放射器９では衛星放送信号を良好に受信することができる。
【００５１】
また更に、アーム部７に直接固定される固定部１６の固定部本体２２は、側壁の一部が開口した環状に形成されており、アーム部７には着脱自在に固定できることから、本実施形態のＵＨＦアンテナ１０は、この固定部１６を利用することによって、ベランダ等に既に設置されている既存のパラボラアンテナに装着することもできる。
【００５２】
よって、本実施形態の受信アンテナ１は、こうした既存のパラボラアンテナにＵＨＦアンテナ１０を装着することによっても実現することができることになり、例えば、パラボラアンテナが既に設置されている家庭や施設において、地上波デジタル放送を受信するためにＵＨＦアンテナを新たに設置するような場合には、極めて簡単にしかも安価に地上波デジタル放送用のＵＨＦアンテナを設置することができるようになる。
【００５３】
また、この場合、ＵＨＦアンテナ１０の給電部１４内で衛星受信信号とＵＨＦ受信信号とを混合することができるので、これら各信号を受信端末まで伝送するために、これら各信号を混合するための混合器を設けたり、ＵＨＦ受信信号を伝送するための伝送線を別途配線する必要がない。
【００５４】
従って、本実施形態のＵＨＦアンテナ１０とその固定部１６を利用すれば、地上波デジタル放送の普及を促進することができるようになる。
また、本実施形態のＵＨＦアンテナ１０は、反射鏡３を反射器として利用することにより、ＵＨＦ放送局からの放送電波を受信することから、ＵＨＦアンテナ１０の指向特性は、反射鏡３の向きによって決定されることになるが、本実施形態では、方向調整ねじ３６，３８を利用して、反射鏡３の反射面に対するアンテナ素子１２の傾斜角度を、垂直方向にも水平方向にも調整できるようにしているので、ＵＨＦアンテナ１０の指向特性を、任意に設定することができる。よって、本実施形態によれば、ＵＨＦアンテナ１０による受信可能範囲を拡大することもできる。
【００５５】
以上、本発明の一実施形態について説明したが、本発明は上記実施形態に限定されるものではなく、本発明の技術範囲内にて種々の態様を採ることができる。
例えば、上記実施形態では、ＵＨＦアンテナ１０の給電部１４には、ＬＰＦ４４とＨＰＦ４６とからなる混合回路を設けて、給電部１４内でＵＨＦ受信信号と衛星受信信号とを混合できるようにしたが、更に、これら各受信信号を増幅できるようにしてもよい。
【００５６】
そして、このためには、図５に例示するように、ＬＰＦ４４が設けられるＵＨＦ受信信号の伝送路には、ＬＰＦ４４と同特性のＬＰＦ４３を直列に接続して、これらのフィルタ間（４３−４４間）に、ＵＨＦ受信信号を増幅する増幅回路４７を設け、ＨＰＦ４６が設けられる衛星受信信号の伝送路には、ＨＰＦ４６と同特性のＨＰＦ４５を直列に接続して、これらのフィルタ間（４５−４６間）に、衛星受信信号（ＢＳ／ＣＳ−ＩＦ）を増幅する増幅回路４８を設けるようにするとよい。
【００５７】
そして、このようにすれば、給電部１４内でＵＨＦ受信信号と衛星受信信号とを増幅することができるので、給電部１４から受信端末に至る伝送線での受信信号の伝送損失が大きいる場合に、その伝送線に増幅装置（所謂ブースター）を別途設ける必要がなく、本発明を適用したテレビ放送受信システムを構築する際の部品点数を少なくすることが可能となる。
【００５８】
なお、この場合、給電部１４には、各増幅回路４７，４８に動作用の電源を供給するために、出力端子Ｔｏを介して端末側から入力される電源電圧を利用して各増幅回路４７，４８の駆動電圧を生成する電源回路４９を設けることが望ましい。
電源供給を行うために、
【図面の簡単な説明】
【００５９】
【図１】実施形態のＵＨＦ／衛星放送共用受信アンテナの全体構成を表す説明図である。
【図２】実施形態のＵＨＦアンテナ及びその固定部を表す正面図である。
【図３】実施形態のＵＨＦアンテナの給電部及びその固定部を表す斜視図である。
【図４】実施形態のＵＨＦアンテナの給電部の内部の構成及びその電気回路を表す説明図である。
【図５】ＵＨＦアンテナの給電部の他の回路構成を表す説明図である。
【符号の説明】
【００６０】
１…ＵＨＦ／衛星放送共用受信アンテナ（受信アンテナ）、３…反射鏡、４…支柱、５…取付部、７…アーム部、９…一次放射器、１０…ＵＨＦアンテナ、１２…アンテナ素子、１４…給電部、１４ａ…防水ケース、１４ｂ…電子回路基板、１６…固定部、２２…固定部本体、２４…支持部、２６…載置台、３２，３４…固定ねじ、３６，３８…方向調整ねじ、４２…バラン、４３，４４…ＬＰＦ（ローパスフィルタ）、４５，４６…ＨＰＦ（ハイパスフィルタ）、４７…増幅回路、４８…増幅回路、４９…電源回路、Ｃ…コンデンサ、Ｌ…チョークコイル、Ｔａ，Ｔｂ…電極、Ｔｉ…入力端子、Ｔｏ…出力端子。
【図１】
2006101117.tif 000003
【図２】
2006101117.tif 000004
【図３】
2006101117.tif 000005
【図４】
2006101117.tif 000006
【図５】
2006101117.tif 000007